(57)【要約】      （修正有）【課題】一人の作業員でも簡便に取り付け可能なサドルを提供する。【解決手段】サドル１は、ガス管Ｐに穿孔機やガスバッグ挿入機等を接続する。サドル１は、ガス管Ｐに取り付け可能な２分割構造から成る一対の上方サドル部１０及び下方サドル部２０と、ガス管Ｐを挟んだ状態で上方サドル部１０及び下方サドル部２０を仮止めする仮止め手段３０と、上方サドル部１０及び下方サドル部２０が仮止めされた状態で上方サドル部１０及び下方サドル部２０を固定するボルトＢ及びナットＮと、を備えている。【選択図】図１
2019019949.tif 000002
【特許請求の範囲】
【請求項１】
配管に外部装置を接続するサドルであって、
前記外部装置を取り付け可能で前記配管に装着される２分割構造から成る一対のサドル部と、
前記配管を挟んだ状態で前記一対のサドル部を仮止めする仮止め手段と、
前記一対のサドル部が仮止めされた状態で、前記一対のサドル部を固定する固定手段と、
を備えていることを特徴とするサドル。
【請求項２】
前記仮止め手段は、
前記一対のサドル部の一方に軸着され、前記一対のサドル部の他方に向かって搖動可能に設けられた軸部と、
前記一対のサドル部の他方に設けられ、前記軸部が係脱自在な受け部と、
を備えていることを特徴とする請求項１記載のサドル。
【請求項３】
前記軸部は、該軸部より拡幅して形成されたヘッド部分を備え、
前記受け部は、前記軸部を収容する切欠部分と、前記ヘッド部分を受ける爪部分と、を備えていることを特徴とする請求項２記載のサドル。 
【発明の詳細な説明】
【技術分野】
【０００１】
本発明は、ガス管や水道管に穿孔機又はガスバッグ挿入機等の外部装置を接続するサドルに関するものである。
【背景技術】
【０００２】
地中に埋設されたガス管や水道管等の配管を修理又は交換する場合、配管を切断する前に施工区間における配管内のガスや水を遮断する必要がある。
【０００３】
特許文献１には、ガス管を修理する際に、施工区間の上流側と下流側とにガスバッグを挿入し、ガスバッグを膨らませることでガス管を遮断してガスを止めた後に、施工区間の配管の取り換えを行うガス管の修理方法が開示されている。
【０００４】
このようなガス管の修理方法では、リブを有するサドル部と、リブに引っ掛けられるフックを有する当て金具と、サドル部と当て金具とを管を挟み込んだ状態でクランプするクランプ手段と、を備えているサドルが用いられる。そして、サドル部の胴部に穿孔工具を接続してガス管を穿孔し、その後にノーブローバッグを胴部に接続してガス漏れを防止しつつガス管に穿けられた孔からガスバッグを挿入し、ガスバッグを膨らませることによりガス管内のガスの流れを遮断する。
【先行技術文献】
【特許文献】
【０００５】
【特許文献１】特開平９−４９５９６号公報
【発明の概要】
【発明が解決しようとする課題】
【０００６】
しかしながら、特許文献１に記載されたサドルは、二人の作業員が協働して取り付け作業を行う。すなわち、一方の作業員が、配管を挟み込むようにサドル部と当て金具とを配管の外周に装着し、他方の作業員がクランプ手段でサドル部と当て金具とをクランプする。したがって、サドルの取り付けには、複数の作業員を必要とし、且つ広範囲を掘り返して広い作業スペースを確保しなければならないという問題があった。
【０００７】
そこで、一人の作業員でも簡便に取り付け可能なサドルを提供するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、配管に外部装置を接続するサドルであって、前記外部装置を取り付け可能で前記配管に装着される２分割構造から成る一対のサドル部と、前記配管を挟んだ状態で前記一対のサドル部を仮止めする仮止め手段と、前記一対のサドル部が仮止めされた状態で、前記一対のサドル部を固定する固定手段と、を備えているサドルを提供する。
【０００９】
この構成によれば、一対のサドル部が配管を挟んだ状態で仮止めされることにより、作業員が片手で一対のサドル部を支持して一対のサドル部の仮止め状態を維持しつつもう一方の手で固定手段を用いて一対のサドル部を固定可能なため、一人の作業員がサドルを配管に容易に取り付けることができる。
【００１０】
請求項２記載の発明は、請求項１記載の発明の構成に加えて、前記仮止め手段は、前記一対のサドル部の一方に軸着され、前記一対のサドル部の他方に向かって搖動可能に設けられた軸部と、前記一対のサドル部の他方に設けられ、前記軸部が係脱自在な受け部と、を備えているサドルを提供する。
【００１１】
この構成によれば、軸部が受け部に向けて搖動することにより、一対のサドル部が仮止め可能なため、一人の作業員でサドルを配管に容易に取り付けることができる。
【００１２】
請求項３記載の発明は、請求項２記載の発明の構成に加えて、前記軸部は、該軸部より拡幅して形成されたヘッド部分を備え、前記受け部は、前記軸部を収容する切欠部分と、前記ヘッド部分を受ける爪部分と、を備えているサドルを提供する。
【００１３】
この構成によれば、軸部が切欠部分に収容されることにより、一対のサドル部分を水平方向に位置合わせが可能であり、且つヘッド部分が爪部分に当接可能なことにより、作業中に一対のサドル部分が脱落することを抑制できる。
【発明の効果】
【００１４】
本発明によれば、一対のサドル部が配管を挟んだ状態で仮止めされることにより、作業員が片手で一対のサドル部を支持して一対のサドル部を仮止め状態を維持しつつもう一方の手で固定手段を用いて一対のサドル部を固定可能なため、広い作業スペースを必要とせず一人の作業員でサドルを配管に容易に取り付けることができる。
【図面の簡単な説明】
【００１５】
【図１】本発明の一実施例に係るサドルを示す平面図、正面図及び側面図。
【図２】図１（ｂ）に示すＩ−Ｉ線断面図。
【図３】図１のサドルの分解斜視図。
【図４】上方サドル部を示す平面図、底面図、正面図及び側面図。
【図５】下方サドル部を示す平面図、正面図及び縦断面図。
【図６】サドルの取付手順を示す模式図。
【発明を実施するための形態】
【００１６】
本発明は、一人の作業員でも簡便に取り付け可能なサドルを提供するという目的を達成するために、配管に外部装置を接続するサドルであって、外部装置を取り付け可能で配管に装着される２分割構造から成る一対のサドル部と、配管を挟んだ状態で一対のサドル部を仮止めする仮止め手段と、一対のサドル部が仮止めされた状態で、一対のサドル部を固定する固定手段と、を備えていることにより実現した。
【実施例】
【００１７】
以下、本発明の一実施例に係るサドル１について、図面に基づいて説明する。なお、以下の実施例において、構成要素の数、数値、量、範囲等に言及する場合、特に明示した場合及び原理的に明らかに特定の数に限定される場合を除き、その特定の数に限定されるものではなく、特定の数以上でも以下でも構わない。
【００１８】
また、構成要素等の形状、位置関係に言及するときは、特に明示した場合及び原理的に明らかにそうでないと考えられる場合等を除き、実質的にその形状等に近似又は類似するもの等を含む。
【００１９】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。なお、本実施例において、「上」、「下」の語は、上下方向における上方、下方に対応するものとする。
【００２０】
図１は、ガス管Ｐに取り付けられたサドル１を示す図であり、（ａ）は平面図であり、（ｂ）は正面図であり、（ｃ）は側面図である。図２は、図１（ｂ）のＩ−Ｉ線断面図である。図３は、ボルトＢを省略したサドル１の分解斜視図である。図４（ａ）〜（ｄ）は、上方サドル部１０を示す平面図、底面図、正面図及び側面図である。図５（ａ）〜（ｃ）は、下方サドル部２０を示す平面図、正面図及びＩＩ−ＩＩ線断面図である。
【００２１】
サドル１は、ガス用のポリエチレン製導管（以下、単に「ガス管」と称す）Ｐに装着される。ガス管Ｐは、ガス製造基地から送り出されたガスをガス消費者に供給するものであり、主に地中に埋設されている。ガス管Ｐ内を流れるガスの圧力は、例えば、低圧、中圧Ａ、中圧Ｂ等である。なお、サドル１を取り付ける配管は、ガス管に限定されず水道管等であっても構わない。
【００２２】
サドル１には、ガス管Ｐの施工内容に応じた外部装置が接続される。サドル１に接続される外部装置は、例えば、ガス管Ｐをホールソーで穿孔する穿孔機、ガス管Ｐを遮断するガスバッグを挿入するガスバッグ挿入機、ガスＰ内のガスを外部に放散するための放散管等である。
【００２３】
サドル１は、それぞれ略半円筒状に形成された上方サドル部１０及び下方サドル部２０を対向させて組み合わせることで略円筒形状を呈している。上方サドル部１０及び可動サドル部２０は、鋳鉄製であるが、これに限定されるものではない。
【００２４】
上方サドル部１０の幅方向Ｗの両端には、側方フランジ１１が２つずつ設けられている。側方フランジ１１は、上方サドル部１０からサドル１の幅方向Ｗに向かって突設されている。側方フランジ１１には、ボルトＢを挿通するボルト孔１２が形成されている。
【００２５】
上方サドル部１０の中央には、中央フランジ１３が設けられている。中央フランジ１３は、幅方向Ｗに直交する上下方向Ｖに向かって上方サドル部１０から立設されている。中央フランジ１３は、上下方向Ｖに沿って略同径に形成されている。
【００２６】
中央フランジ１３の四隅には、図示しない外部装置を連結するボルト孔１４が設けられている。ボルト孔１４に図示しないボルトを螺合させて、中央フランジ１３に外部装置を連結する場合に、中央フランジ１３が上下方向Ｖに沿って略同径で高剛性に形成されていることにより、ボルトの締め付けに伴う中央フランジ１３の捩れや曲げを抑制することができる。
【００２７】
中央フランジ１３には、上方サドル部１０を上下方向Ｖに貫通する取付孔１５が形成されている。取付孔１５は、上方サドル部１０の内側及び外側を連通している。
【００２８】
取付孔１５の近傍には、取付孔１５と同心円上に刻設された第１のシール溝１６が設けられている。第１のシール溝１６には、第１のＯリング３０が嵌入されている。第１のＯリング３０は、中央フランジ１３と外部装置との間からガスが漏出することを抑制する。
【００２９】
上方サドル部１０は、ガス管Ｐの外周に沿って湾曲した内周面１７を備えている。内周面１７には、取付孔１５と同心円上に刻設された第２のシール溝１８が設けられている。第２のシール溝１８には、第２のＯリング４０が嵌入されている。第２のＯリング４０は、上方サドル部１０とガス管Ｐとの間からガスが漏出することを抑制する。
【００３０】
下方サドル部２０の幅方向Ｗの両端には、フランジ２１が２つずつ設けられている。フランジ２１は、下方サドル部２０からサドル１の幅方向Ｗに向かって突設されている。フランジ２１には、ボルトＢを挿通するボルト孔２２が形成されている。ボルトＢは、ボルト孔１２、２２に挿通された状態でナットＮが螺合することにより、上方サドル部１０と下方サドル部２０とが一体に固定される。
【００３１】
下方サドル部２０は、ガス管Ｐの外周に沿って湾曲した当接面２３を備えている。
【００３２】
サドル１は、上方サドル部１０と下方サドル部２０とを一時的に固定する仮止め手段５０を備えている。仮止め手段５０は、軸部５１と、受け部５２と、で構成されている。
【００３３】
軸部５１は、軸方向Ａにおいて隣り合うフランジ２１、２１の間に設けられている。軸部５１の先端には、ヘッド部分としてのナット５１ａが螺合されている。
【００３４】
また、軸部５１の基端側は、下方サドル部２０に軸着されている。具体的には、軸部５１の基端側に貫通孔５１ｂが形成されており、貫通孔５１ｂにシャフト２４を挿通することにより、軸部５１がシャフト２４に軸着されている。シャフト２４の両端は、下方サドル部２０の周面にボルト２５で着脱自在に取り付けられた支持部２６に軸支されている。これにより、軸部５１は、下方サドル部２０と別体で作製可能であり、既存の下方サドル部２０に軸部５１を新設することができる。
【００３５】
受け部５２は、平面から視てＵ字状に形成されており、軸方向Ａにおいて切欠部５２ａを空けて離間して設けられた２本の爪部分５２ｂである。切欠部５２ａの幅は、軸部５１の外径より大きく、ナット５１ａの外径より小さく設定される。切欠部５２ａの幅は、軸部５１の外径寸法に近いほど、ボルト孔１２、２２の中心位置合わせを容易に行うことができるので好ましい。
【００３６】
爪部分５２ｂは、上方サドル部１０から幅方向Ｗに向かって突設されている。爪部５２ｂは、軸部５１が切欠部５２ａに収容された状態でナット５１ａよりも後述する隙間Ｌだけ下方に位置するように配置されている。
【００３７】
次に、サドル１をガス管Ｐに取り付ける手順について、図６に基づいて説明する。
【００３８】
まず、地中に埋設されているガス管Ｐの周囲を掘り返して施工区画内のガス管Ｐを露出させる。
【００３９】
次に、図６（ａ）に示すように、内周面１７をガス管Ｐに当てるように上方サドル部１０をガス管Ｐ上に載置する。
【００４０】
次に、上方サドル部１０と下方サドル部２０とを仮止めする。具体的には、図６（ｂ）に示すように、上方サドル部１０と下方サドル部２０との間にガス管Ｐが位置するように下方サドル部２０を上方サドル部１０に接近させた状態で、軸部５１の先端を搖動させて、軸部５１が切欠部５２ａに収容されることにより、上方サドル部１０と下方サドル部２０とが軸方向Ａ及び幅方向Ｗにおいて仮止めされる。また、ナット５１ａを爪部分５２ｂに当接させることで、上方サドル部１０と下方サドル部２０とが上下方向Ｖにおいて仮止めされる。
【００４１】
次に、図６（ｃ）に示すように、下方サドル部２０を上方サドル部１０と平行になるように傾ける。ナット５１ａが爪部分５２ｂに当接すると、上方サドル部１０と下方サドル部２０との間に隙間Ｌが確保されていることから、上方サドル部１０と下方サドル部２０とを仮止めした状態を維持したまま、下方サドル部２０を上方サドル部１０に対して接近させることができる。
【００４２】
そして、ガス管Ｐに下方サドル部２０の当接面２３を当てることにより、ガス管Ｐがサドル１に挟み込まれる。そして、軸部５１が切欠部５２ａに収容されていることにより、ボルト孔１２、２２の中心が平面から視て略同じ位置に位置決めされていることから、一人の作業員が片手で下方サドル部２０を支持しながら、ボルトＢをボルト孔１２、２２に容易に挿通することができる。そして、ボルトＢにナットＮを螺合することにより、図６（ｄ）に示すように、上方サドル部１０と下方サドル部２０とが一体に固定される。
【００４３】
サドル１がガス管Ｐに取り付けられると、図示しない穿孔機やガスバッグ挿入機をサドル１に取り付ける。穿孔機のホールソーは、取付孔１５を介してガス管Ｐの外周に押し当てられて穿孔穴を形成する。また、ガスバッグ挿入機は、取付孔１５及び穿孔穴を介してガス管Ｐ内にガスバッグを挿入する。なお、ガス管Ｐ内のガス圧が高い場合には、穿孔機による穿孔の前に、ガス管Ｐ内を流れるガスを遮断するのが好ましい。
【００４４】
なお、上述したように、上方サドル部１０と下方サドル部２０とが予め仮止めされた状態でガス管Ｐの周囲にサドル１を装着するものであっても構わないし、下方サドル部２０をガス管Ｐの下方に当てて上方サドル部１０をガス管Ｐの上方に当てた後に、軸部３１を切欠部３２ａに係合させて、上方サドル部１０と下方サドル部２０とを仮止めするものであっても構わない。
【００４５】
また、仮止め手段３０は、上述した構成に限定されるものではなく、上方サドル部１０と下方サドル部２０とを仮止め可能なものであれば、如何なる構成であっても構わない。例えば、軸部５１の先端にナット５１ａを螺合する代わりに、軸部５１の先端を軸方向Ａに向けて拡幅するＴ字状に形成することが考えられる。
【００４６】
また、軸部５１及び受け部５２は、一方が上方サドル部１０に設けられ、他方が下方サドル部２０に設けられるものであればよく、軸部５１が上方サドル部１０に設けられ、受け部５２が下方サドル部２０に設けられても構わない。
【００４７】
また、固定手段は、上方サドル部１０及び下方サドル部２０を固定可能であればよく、ボルトＢ及びナットＮの組み合わせに限定されるものではない。
【００４８】
このようにして、サドル１は、上方サドル部１０及び下方サドル部２０がガス管Ｐを挟んだ状態で仮止め手段３０に仮止めされることにより、作業員が片手で上方サドル部１０及び下方サドル部２０を支持しつつ上方サドル部１０及び下方サドル部２０をボルトＢで固定可能なため、一人の作業員でサドル１をガス管Ｐに容易に取り付けることができる。また、一人の作業員でサドル１をガス管Ｐに取り付け可能なため、作業員の作業スペースに応じて設定される地面の掘り返し範囲を小さくすることができる。
【００４９】
また、軸部５１を切欠部分５２ａに収容することで、上方サドル部１０及び下方サドル部２０が上下方向Ｖにおいて位置合わせ可能であり、サドル１の取り付けを容易に行うことができる。
【００５０】
また、ナット５１ａが爪部分５２ｂに当接可能なため、作業中に上方サドル部１０又は下方サドル部２０が不用意に脱落することを抑制できる。
【００５１】
また、本発明は上記で説明した以外にも、本発明の精神を逸脱しない限り種々の改変を為すことができ、そして、本発明が該改変されたものに及ぶことは当然である。
【符号の説明】
【００５２】
１  ・・・  サドル
１０・・・  上方サドル部
１１・・・  側方フランジ
１２・・・  （側方フランジの）ボルト孔
１３・・・  中央フランジ
１４・・・  （中央フランジの）ボルト孔
１５・・・  取付孔
１６・・・  第１のシール溝
１７・・・  内周面
１８・・・  第２のシール溝
２０・・・  下方サドル部
２１・・・  フランジ
２２・・・  ボルト孔
２３・・・  当接面
２４・・・  シャフト
２５・・・  ボルト
２６・・・  支持部
３０・・・  第１のＯリング
４０・・・  第２のＯリング
５０・・・  仮止め手段
５１・・・  軸部
５１ａ・・・ナット（ヘッド部分）
５１ｂ・・・貫通孔
５２・・・  受け部
５２ａ・・・切欠部分
５２ｂ・・・爪部分
Ｂ  ・・・  ボルト（固定手段）
Ｎ  ・・・  ナット（固定手段）
【図１】
2019019949.tif 000003
【図２】
2019019949.tif 000004
【図３】
2019019949.tif 000005
【図４】
2019019949.tif 000006
【図５】
2019019949.tif 000007
【図６】
2019019949.tif 000008